(57)【要約】【課題】ノイズ状態によって誤った垂直同期パルスを検出した場合にも、誤った垂直同期信号を生成することなく、優れた垂直同期信号を生成する。【解決手段】映像信号PSが入力され、垂直同期パルス検出回路１１により、その映像信号PS中の垂直同期パルスHSPを誤検出した場合には、垂直同期パルス検出回路１１の検出信号S11と、フレーム周期カウンタ１２のカウント値S12から生成されたタイミング信号S13とが、一致するか否かを検出する同期安定性検出回路１４の一致確認検出結果S14が不一致となる。そのため、フレーム周期カウンタ１２のカウント値S12がフレーム周期カウンタ１５ヘロードされないので、フレーム周期カウンタ１５、タイミング生成デコード回路１６及び垂直同期信号生成回路１７の動作により、以前検出した正常な位相で垂直同期信号HSを生成できる【選択図】図１
2007165955.tif 000002
【特許請求の範囲】
【請求項１】
入力される映像信号から垂直同期パルスを検出して検出信号を出力する垂直同期パルス検出手段と、
前記検出信号から、前記垂直同期パルスのフレーム周期をカウントして第１のカウント結果を出力する第１のカウント手段と、
前記第１のカウント結果をデコードして次に前記垂直同期パルスが検出されるべき第１のタイミング信号を生成する第１のタイミング生成デコード手段と、
前記検出信号と前記第１のタイミング信号とが一致するか否かを検出して一致／不一致の検出結果を出力する一致／不一致検出手段と、
前記検出結果が一致の時には、前記第１のカウント値をロードしてこのロードした第１のカウント値を初期値として、前記第１のカウント値から前記垂直同期パルスのフレーム周期をカウントして第２のカウント値を出力し、前記検出結果が不一致の時には、前記第１のカウント値をロードせずに、前回カウントしたカウント値を前記第２のカウント値として出力する第２のカウント手段と、
前記第２のカウント結果をデコードして垂直同期信号生成用の第２のタイミング信号を生成する第２のタイミング生成デコード手段と、
前記第２のタイミング信号を用いて垂直同期信号を生成する垂直同期信号生成手段と、
を有することを特徴とする垂直同期信号生成装置。
【請求項２】
請求項１記載の垂直同期信号生成装置において、
前記検出信号及び前記第１のタイミング信号の論理和を求めるゲート手段と、
前記第２のタイミング信号と前記ゲート手段の出力信号とを入力し、選択信号により出力が切り替えられ、テレビジョン弱電界モード時は前記第２のタイミング信号を出力して前記垂直同期信号生成手段に与えて前記垂直同期信号を生成させ、前記テレビジョン弱電界モードでない時は前記ゲート手段の出力信号を出力して前記垂直同期信号生成手段に与えて前記垂直同期信号を生成させる切り替え手段と、
を設けたことを特徴とする垂直同期信号生成装置。
【請求項３】
請求項１記載の垂直同期信号生成装置において、
前記検出信号及び前記第１のタイミング信号の論理和を求めるゲート手段と、
前記入力される映像信号中の垂直同期パルス期間にノイズがあるか否かを検出してノイズ検出結果を出力するノイズ検出手段と、
前記第２のタイミング信号と前記ゲート手段の出力信号とを入力し、前記ノイズ検出結果により出力が切り替えられ、前記ノイズ検出結果がノイズ有りの時は前記第２のタイミング信号を出力して前記垂直同期信号生成手段に与えて前記垂直同期信号を生成させ、前記ノイズ検出結果がノイズ無しの時は前記ゲート手段の出力信号を出力して前記垂直同期信号生成手段に与えて前記垂直同期信号を生成させる切り替え手段と、
を設けたことを特徴とする垂直同期信号生成装置。
【請求項４】
請求項３記載の垂直同期信号生成装置において、
前記ノイズ検出手段は、
前記垂直同期パルス検出手段を構成するための積分回路を用いて生成した検出期間中信号と、前記垂直同期パルス検出手段から出力される前記検出信号とから、前記垂直同期パルス期間にノイズがあるか否かを検出する構成にしたことを特徴とする垂直同期信号生成装置。
【発明の詳細な説明】
【技術分野】
【０００１】
本発明は、映像信号をデコード処理するディジタルビデオデコーダ等において、入力される映像信号が例えば一時的に弱電界状態になってもずれのない垂直同期信号を生成出来る垂直同期信号生成装置に関するものである。
【背景技術】
【０００２】
図８は、一般的なテレビジョン信号（以下「TV信号」という。）における垂直帰線消去期間中の垂直同期パルスを示す概略の波形図である。
【０００３】
合成映像信号は、一般的にTV信号と呼ばれ、これには画像を再現するための映像信号と画像を組み立てる同期信号とが含まれている。同期信号には、水平同期信号VSと垂直同期信号HSとがあり、TV信号波形の中で、それぞれ水平帰線消去期間と垂直帰線消去期間の中に置かれている。
【０００４】
図８に示す垂直帰線消去期間T内には、垂直同期信号HSからなる３ラインの垂直同期パルス期間T2があり、この部分の信号は水平同期周波数の２倍の周波数で繰り返す狭い幅の正のパルス（切り込みパルス）P2で切り込みが作られている。垂直同期パルス期間T2の直前と直後には、３ラインの等価パルス期間T1と３ラインの等価パルス期間T3が設けられている。各等価パルス期間T1,T3では、切り込みパルスP2と同一の周波数で６個の細く狭い等価パルスP1が連続している。等価パルスP1は、切り込みパルスP2と共に垂直帰線消去期間T中、受像機側の水平同期を安定に保つ役割を果たしている。
【０００５】
垂直同期パルスHSPを検出することで、水平同期信号HSを生成する。従来の垂直同期信号生成装置の構成例を図９に示す。
【０００６】
図９は従来の垂直同期信号生成装置の構成例を示す概略の構成ブロック図、及び、図１０は図９の垂直同期信号生成装置の動作を示すタイムチャートである。
【０００７】
この垂直同期信号生成装置では、入力される映像信号PSから垂直同期パルス検出回路１によって垂直同期パルスHSPを検出した時のみ、この検出信号S1を論理和ゲート（以下「ORゲート」という。）４を介して垂直同期信号生成回路５により垂直同期信号HSを生成する方法が用いられている。或いは、入力される映像信号PSから垂直同期パルス検出回路１で垂直同期パルスHSPを検出した時に、この検出信号S1からORゲート４を介して垂直同期信号生成回路５により垂直同期信号HSを生成すると共に、カウント最大値（MAX)が２６２〜２６３のアップ型フレーム周期カウンタ２でカウントを行い、このカウント値S2をタイミング生成デコード回路３によりデコードし、次に垂直同期パルスHSPが来るべき位置のタイミング信号S3を求め、ORゲート４を介して垂直同期信号生成回路５により、その位置にも垂直同期信号HSを生成し、ライン位相に同期して出力する方法が用いられている。
【０００８】
このような垂直同期信号生成装置に関連する従来の特許文献としては、例えば、次のようなものがある。
【０００９】
【特許文献１】特開平１０−１１７２９６号公報
【発明の開示】
【発明が解決しようとする課題】
【００１０】
しかしながら、従来の垂直同期信号生成装置では、映像信号PSに含まれる弱電界時のノイズにより、垂直同期パルス検出回路１が誤って垂直同期パルスHSPを検出した場合には、この検出信号S1がORゲート４を介して垂直同期信号生成回路５へ与えられ、この垂直同期信号生成回路５によって誤った垂直同期信号HSを生成してしまうという課題があった。ビデオ信号に比べてTV信号の方が、弱電界時のノイズが生じ易い。
【００１１】
本発明は、このような従来の課題を解決し、ノイズ状態によって誤った垂直同期パルスHSPを検出した場合にも、誤った垂直同期信号HSを生成することなく、優れた垂直同期信号を生成することが出来る垂直同期信号生成装置を提供することを目的とする。
【課題を解決するための手段】
【００１２】
本発明の垂直同期信号生成装置は、入力される映像信号から垂直同期パルスを検出して検出信号を出力する垂直同期パルス検出手段と、前記検出信号から、前記垂直同期パルスのフレーム周期をカウントして第１のカウント結果を出力する第１のカウント手段と、前記第１のカウント結果をデコードして次に前記垂直同期パルスが検出されるべき第１のタイミング信号を生成する第１のタイミング生成デコード手段と、前記検出信号と前記第１のタイミング信号とが一致するか否かを検出して一致／不一致の検出結果を出力する一致／不一致検出手段と、第２のカウント結果を出力する第２のカウント手段と、前記第２のカウント結果をデコードして垂直同期信号生成用の第２のタイミング信号を生成する第２のタイミング生成デコード手段と、前記第２のタイミング信号を用いて垂直同期信号を生成する垂直同期信号生成手段とを有している。
【００１３】
前記第２のカウント手段は、前記検出結果が一致の時には、前記第１のカウント値をロードしてこのロードした第１のカウント値を初期値として、前記第１のカウント値から前記垂直同期パルスのフレーム周期をカウントして前記第２のカウント値を出力し、前記検出結果が不一致の時には、前記第１のカウント値をロードせずに、前回カウントしたカウント値を前記第２のカウント値として出力するものである。
【発明の効果】
【００１４】
請求項１に係る発明によれば、一致／不一致検出手段及び第２のカウント手段を設けたので、垂直同期パルス検出手段により、垂直同期パルスを誤検出した場合でも、一致／不一致検出手段において垂直同期パルス間隔の正常性の一致確認ができないため、第２のカウント手段ヘロードが掛からない。そのため、第２のカウント手段、タイミング生成デコード手段及び垂直同期信号生成手段の動作により、以前検出した正常な位相で垂直同期信号を生成できる。
【００１５】
請求項２に係る発明によれば、選択信号により出力が切り替えられる切り替え手段を設けたので、例えば、映像切り替え前に予めTV弱電界モードの状態を、TV弱電界モードでない状態に切替えることで、入力映像信号に同期した垂直同期信号を素早く生成できる。
【００１６】
請求項３、４に係る発明によれば、ノイズ検出手段を設けたので、例えば、映像状態によって切り替え手段で、常時入力映像信号に同期した垂直同期信号の生成と、正常性が確認できた時の周期を用いた垂直同期信号の生成を自動的に切り替えることが出来る。
【発明を実施するための最良の形態】
【００１７】
垂直同期信号生成装置は、入力される映像信号から垂直同期パルスを検出して検出信号を出力する垂直同期パルス検出回路と、前記検出信号から、前記垂直同期パルスのフレーム周期をカウントして第１のカウント結果を出力する第１のフレーム周期カウンタと、前記第１のカウント結果をデコードして次に前記垂直同期パルスが検出されるべき第１のタイミング信号を生成する第１のタイミング生成デコード回路と、前記検出信号と前記第１のタイミング信号とが一致するか否かを検出して一致確認検出結果を出力する同期安定性検出回路と、第２のカウント結果を出力する第２のフレーム周期カウンタと、前記第２のカウント結果をデコードして垂直同期信号生成用の第２のタイミング信号を生成する第２のタイミング生成デコード回路と、前記第２のタイミング信号を用いて垂直同期信号を生成する垂直同期信号生成回路とを有している。
【００１８】
前記第２のフレーム周期カウンタは、前記一致確認検出結果が一致の時には、前記第１のカウント値をロードしてこのロードした第１のカウント値を初期値として、前記第１のカウント値から前記垂直同期パルスのフレーム周期をカウントして前記第２のカウント値を出力し、前記一致確認検出結果が不一致の時には、前記第１のカウント値をロードせずに、前回カウントしたカウント値を前記第２のカウント値として出力するものである。
【実施例１】
【００１９】
（実施例１の構成）
図１は、本発明の実施例１を示す垂直同期信号生成装置の概略の構成ブロック図である。
【００２０】
この垂直同期信号生成装置は、入力される映像信号PSから垂直同期パルスHSPを検出して検出信号S11を出力する垂直同期パルス検出手段（例えば、垂直同期パルス検出回路）１１を有している。垂直同期パルス検出回路１１は、積分回路等で構成され、この出力側に、垂直同期信号生成用の第１のカウント手段（例えば、アップ型の第１のフレーム周期カウンタ）１２、及び一致／不一致検出手段（例えば、同期安定性検出回路）１４が接続されている。アップ型の第１のフレーム周期カウンタ１２は、検出信号S11に基づき、垂直同期パルスHSPのフレーム周期をカウントしてカウント値S12を出力するものであり、カウントMAXが例えば２６２〜２６３であり、この出力側に、第１のタイミング生成デコード手段（例えば、タイミング生成デコード回路）１３、及び垂直同期信号生成用の第２のカウント手段（例えば、アップ型の第２のフレーム周期カウンタ）１５が接続されている。
【００２１】
タイミング生成デコード回路１３は、フレーム周期カウンタ１２のカウント値S12をデコードしてタイミング信号S13を生成する回路であり、論理回路等で構成され、この出力側に、同期安定性検出回路１４が接続されている。同期安定性検出回路１４は、垂直同期パルス検出回路１１の検出結果である検出信号S11の連続性を確認（即ち、映像信号PSにノイズが含まれていないかを確認）するために、検出信号S11とタイミング信号S13とを比較して一致するか否かの一致確認検出結果S14を出力する回路であり、比較回路等で構成され、この出力側に、第２のフレーム周期カウンタ１５が接続されている。
【００２２】
第２のフレーム周期カウンタ１５は、一致確認検出結果S14が一致の時にカウント結果S12をロードし、このカウント値S12に基づき、垂直同期パルスHSPのフレーム周期をカウントしてカウント値S15を出力するものであり、カウントMAXが例えば２６２〜２６３であり、この出力側に、第２のタイミング生成デコード手段（例えば、タイミング生成デコード回路）１６が接続されている。タイミング生成デコード回路１６は、フレーム周期カウンタ１５のカウント値S15をデコードしてタイミング信号S16を生成する回路であり、論理回路等で構成され、この出力側に、垂直同期信号生成手段（例えば、垂直同期信号生成回路）１７が接続されている。垂直同期信号生成回路１７は、タイミング信号S16に基づいて垂直同期信号HSを生成し、ライン位相に同期して出力する回路であり、フリップフロップ回路（以下「FF」という。）等で構成されている。
【００２３】
（実施例１の動作）
図２は、図１の垂直同期信号生成装置の動作を示すタイムチャートである。
映像信号PSが垂直同期パルス検出回路１１に入力されると、この垂直同期パルス検出回路１１により、映像信号PS中の垂直同期パルスHSPが検出され、この検出信号S11がフレーム周期カウンタ１２及び同期安定性検出回路１４へ送られる。この検出信号S11によりフレーム周期カウンタ１２がカウントを開始し、次に垂直同期パルスHSPが検出されるべきタイミングがカウントされ、カウント値S12がタイミング生成デコード回路１３及びフレーム周期カウンタ１５へ出力される。
【００２４】
カウント値S12は、タイミング生成デコード回路１３でデコードされ、カウント値S12がMAX（例えば、２６２〜２６３）になると、このタイミング生成デコード回路１３でパルス状のタイミング信号S1が生成され、同期安定化検出回路１４へ出力される。同期安定性検出回路１４では、検出信号S11とタイミング信号S13とを比較し、検出信号S11とタイミング信号S13とが複数（N)回連続して一致するか否かを検出し、一致したことを検出した時には、例えば“H”の一致確認検出結果S14をフレーム周期カウンタ１５へ出力する。このように、同期安定性検出回路１４において、一致を検出することにより、誤りのない検出信号S11の正常性を確認出来る（即ち、垂直同期パルスHSP間隔の正常性の一致確認が出来る）。一致検出はＮ回連続の一致を確認することにより、Ｎの値が大きくなればより正確な垂直同期パルスHSPを検出することが可能となる。
【００２５】
同期安定性検出回路１４で検出信号S11の正常性が確認できた場合、この一致認識検出結果S14により、フレーム周期カウンタ１５がフレーム周期カウンタ１２のカウント値S12をロードし、該フレームカウンタ１５がカウント動作を開始する。この時、フレーム周期カウンタ１２とフレーム周期カウンタ１５のカウント動作は同じになる。フレーム周期カウンタ１５のカウント値S15は、タイミング生成デコード回路１６でデコードされ、カウント値S15がMAX（例えば、２６２〜２６３）になると、このタイミング生成デコード回路１６でパルス状のタイミング信号S16が生成され、ライン位相に同期して垂直同期信号生成回路１７へ出力される。垂直同期信号生成回路１７では、タイミング信号S16を用いて垂直同期信号HSを生成し、出力する。
【００２６】
（実施例１の効果）
本実施例１によれば、同期安定性検出回路１４及びフレーム周期カウンタ１５を設けたので、垂直同期パルス検出回路１１により、垂直同期パルスHSPを誤検出した場合でも、同期安定性検出回路１４での正常性が確認できないため、フレーム周期カウンタ１５ヘロードが掛からない。そのため、フレーム周期カウンタ１５、タイミング生成デコード回路１６及び垂直同期信号生成回路１７の動作により、以前検出した正常な位相で垂直同期信号HSを生成できるという効果が得られる。
【実施例２】
【００２７】
（実施例２の構成）
図３は、本発明の実施例２を示す垂直同期信号生成装置の概略の構成ブロック図であり、実施例１を示す図１中の要素と共通の要素には共通の符号が付されている。
【００２８】
実施例１では、TV弱電界時の垂直同期パルスHSPに対する誤検出には効果を発揮するが、入力映像信号PSが切り替わった場合、切り替わった後の垂直同期パルスHSPを検出して同期安定性検出回路１４でＮ回連続一致の正常性を確認後、フレーム周期力ウンタ１５ヘロードが掛かり、垂直同期信号HSが生成されるまで、Ｎ回の垂直同期パルスHSPを検出しなければならないため、時間が掛かるという不都合がある。
【００２９】
そこで、このような不都合を解消するために、本実施例２では、垂直同期パルス検出回路１１及びタイミング生成デコード回路１３の出力側に、ゲート手段（例えば、２入力のORゲート）１８を追加すると共に、このORゲート１８の出力とタイミング生成デコード回路１６の出力とのいずれか一方を選択するための切り替え手段（例えば、セレクタ）１９を追加し、このセレクタ１９の出力を垂直同期信号生成回路１７へ入力する構成にしている。即ち、垂直同期信号生成回路１７への入力を、選択信号（例えば、外部から与えられたTV弱電界モードMの信号）により人為的に、検出信号S11及びフレーム周期カウンタ１２のカウント値S12より作られたタイミング信号S13と、フレーム周期カウンタ１５のカウント値S15より作られたタイミング信号S16とを、セレクタ１９により切り替えるところが実施例１と異なる。
【００３０】
例えば、入力される映像信号PSがビデオ信号の場合は、ノイズが少ないので、TV弱電界モードMによってセレクタ１９をORゲート１８側に切り替え、映像信号PSがTV信号の場合は、ノイズが多いので、TV弱電界モードMによってセレクタ１９をタイミング生成デコード回路１６側に切り替える構成にしている。その他の構成は、実施例１と同様である。
【００３１】
（実施例２の動作）
図４は、図３の垂直同期信号生成装置の動作を示すタイムチャートである。
映像信号PSが入力されると、垂直同期パルス検出回路１１で検出された検出信号S11を用い、フレーム周期カウン夕１２で次に垂直同期パルスHSPが検出されるべきタイミングをカウントする。タイミング生成デコード回路１３で、フレーム周期カウンタ１２のカウント値S12から夕イミング信号S13を生成する。同期安定性検出回路１４では、タイミング信号S13と検出信号S11の一致を検出することにより、検出信号S11の正常性を確認できる。一致検出はＮ回連続の一致を確認することにより、Ｎの値が大きくなればより正確な垂直同期パルスHSPを検出することが可能である。
【００３２】
同期安定性検出回路１４で検出信号S11の正常性が確認できた場合、フレーム周期力ウンタ１２のカウント値S12をフレーム周期カウンタ１５にロードする。この時、フレーム周期カウンタ１２とフレーム周期カウンタ１５のカウント動作は同じになる。タイミング生成デコード回路１６で、フレーム周期カウンタ１５のカウント値S16から夕イミング信号S16を生成する。
【００３３】
垂直同期信号生成回路１７に入力する信号は、外部入力信号であるTV弱電界モードMを用いセレクタ１９で選択する。TV弱電界モードM時（例えば、ノイズの多いTV信号の時）は、タイミング信号S16を選択し、TV弱電界モードMでない場合（ノイズの少ないビデオ信号の場合）は、ORゲート１８を介して検出信号S11とタイミング信号S13を選択する。これにより、垂直同期信号生成回路１７では、タイミング信号S16、又は、検出信号S11とタイミング信号S13を用いて、垂直同期信号HSを生成して出力する。
【００３４】
（実施例２の効果）
本実施例２によれば、外部入力信号であるTV弱電界モードMにより選択されるセレクタ１９を設けたので、映像切り替え前に予め外部入力信号であるTV弱電界モードMの状態を、TV弱電界モードMでない状態に切替えることで、入力映像信号PSに同期した垂直同期信号HSを素早く生成できるという効果が得られる。
【実施例３】
【００３５】
（実施例３の構成）
図５は、本発明の実施例３を示す垂直同期信号生成装置の概略の構成ブロック図であり、実施例２を示す図３中の要素と共通の要素には共通の符号が付されている。
【００３６】
実施例２では、入力映像信号PSを切り替える際、外部入力信号であるTV弱電界モードMを予め切り替える必要があり、人的な操作が必要となり、不便である。
【００３７】
そこでこの不便さを解消するために、本実施例３では、ノイズ除去手段（例えば、ノイズ検出回路）２０を追加している。そして、ノイズ検出回路２０により、入力映像信号PSと、積分回路等で構成された垂直同期パルス検出回路１１から出力される選出信号S11と、その積分回路を用いて生成された検出期間中信号S11aとに基づき、ノイズの有無を検出してノイズ検出信号S20を生成し、このノイズ検出信号S20により、入力映像信号PS中にノイズ有りと検出された時には、セレクタ１９をタイミング生成デコード回路１６側に切り替え、ノイズ無しと検出された時には、ORゲート１８側に切り替える構成にしている。ノイズ検出回路２０は、例えば、映像信号PSのレベルが検出スレッショルド（閾値）THを超えた時にはノイズNS有りと検出するレベル回路等で構成されている。その他の構成は、実施例２と同様である。
【００３８】
（実施例３の動作）
図６は、図５のノイズ検出回路２０におけるノイズ検出動作を示すタイムチャートである。
【００３９】
映像信号PSが垂直同期パルス検出回路１１及びノイズ検出回路２０に入力されると、この垂直同期パルス検出回路１１から検出信号S11及び検出期間中信号S11aが出力されてノイズ検出回路２０に与えられる。ノイズ検出回路２０では、入力映像信号PSの垂直同期パルス期間T2にノイズNSがあるか否かを検出し、ノイズNSがある場合はノイズ検出信号S20を生成する。このノイズNSの検出は、例えば、次のようにして行われる。
【００４０】
図６において、本来、垂直同期パルス期間T2は、映像信号レベルの低い状態が連続するが、ノイズNSによりレベルの低い状態が維持されず、レベルの高い状態が存在する。垂直同期パルス検出回路１１には、例えば、垂直同期信号HSを検出するための積分回路（以下、符号「１１ａ」を付す。）を持っており、これは映像信号PSが検出スレッショルドTHを下回ると減算処理を行い、上回ると加算処理を行う。又、最大値（MAX)・最小値(MIN)が設けられており、MAX以上には加算されずMIN以下には減算されない。この積分回路１１aがMAXでない状態のとき検出期間中信号S11aを生成し、又、積分回路１１aの出力値に垂直同期検出スレッショルドTHaを設けており、スレッショルドTHaを下回った時に検出信号S11を生成する。
【００４１】
ノイズ検出回路２０では、検出期間中信号S11aが生成されている期間に検出スレッショルドTHを上回るノイズNSがあるか否かを判定し、更に垂直同期パルスHSPが検出されたことを示す検出信号S11が生成された時、ノイズNSがあった場合はノイズ検出信号S20を生成する。
【００４２】
以下、ノイズ検出回路２０を含めた図５の垂直同期信号生成装置の全体の動作を説明する。
【００４３】
図７は、図５の垂直同期信号生成装置の全体の動作を示すタイムチャートである。
【００４４】
映像信号PSが入力されると、垂直同期パルス検出回路１１で検出された検出信号S11を用い、フレーム周期カウンタ１２で、次に垂直同期パルスHSPが検出されるべきタイミングをカウントする。タイミング生成デコード回路１３で、フレーム周期カウンタ１２のカウント値S12からタイミング信号S13を生成する。同期安定性検出回路１４では、タイミング信号S12と検出信号S11との一致を検出することにより、検出信号S11の正常性を確認できる。一致検出はＮ回連続の一致を確認することにより、Ｎの値が大きくなればより正確な垂直同期パルスHSPを検出することが可能である。
【００４５】
同期安定性検出回路１４で検出信号S11の正常性が確認できた場合、フレーム周期カウンタ１２のカウント値S12をフレーム周期カウンタ１５にロードする。この時、フレーム周期カウンタ１２とフレーム周期カウンタ１５のカウント動作は同じになる。タイミング生成デコード回路１６で、フレーム周期カウンタ１５のカウント値S15からタイミング信号S16を生成する。垂直同期信号生成回路１７に入力する信号は、ノイズ検出信号S20を用いセレクタ１９で選択する。ノイズNSの検出時は、タイミング信号S16を選択し、ノイズNSを検出をしていない場合は、検出信号S11とタイミング信号S13をORゲート１８を介して選択する。垂直同期信号生成回路１７では、タイミング信号S16、又は、検出信号S11とタイミング信号S13を用いて垂直同期信号HSを生成して出力する。
【００４６】
（実施例３の効果）
本実施例３によれば、ノイズ検出回路２０を設けたので、映像状態によってセレクタ１９で、常時入力映像信号PSに同期した垂直同期信号HSの生成と、正常性が確認できた時の周期を用いた垂直同期信号HSの生成を自動的に切り替えることが出来るという効果が得られる。
【００４７】
なお、本発明は、上記実施例１〜３に限定されず、種々の変形や利用形態が可能である。
【００４８】
例えば、実施例２では、入力映像信号PSが標準信号（ノイズNSが含まれない信号）なのか或いはTV弱電界信号であるのか分らない装置に適用した例を説明したが、入力映像信号PSがどのようなものであるかを管理できる装置であれば、人為的な操作を必要とせず、自動的に外部入力信号であるTV弱電界モードMを切り替えることが可能である。又、図１、図３、図５の回路構成を他の回路構成に変更したり、或いは、その回路を中央処理装置（CPU)を用いたプログラムで実行する構成にしても良い。又、図２、図４、図６、図７のタイムチャートは、図示以外の他の動作に変更出来る。
【図面の簡単な説明】
【００４９】
【図１】本発明の実施例１を示す垂直同期信号生成装置の概略の構成ブロック図である。
【図２】図１の垂直同期信号生成装置の動作を示すタイムチャートである。
【図３】本発明の実施例２を示す垂直同期信号生成装置の概略の構成ブロック図である。
【図４】図３の垂直同期信号生成装置の動作を示すタイムチャートである。
【図５】本発明の実施例３を示す垂直同期信号生成装置の概略の構成ブロック図である。
【図６】図５のノイズ検出回路２０におけるノイズ検出動作を示すタイムチャートである。
【図７】図５の垂直同期信号生成装置の全体の動作を示すタイムチャートである。
【図８】垂直同期パルスの概略の波形図である。
【図９】従来の垂直同期信号生成装置の概略の構成ブロック図である。
【図１０】図９の動作を示すタイムチャートである。
【符号の説明】
【００５０】
１１      垂直同期パルス検出回路
１２，１５      フレーム周期カウンタ
１３，１６      タイミング生成デコード回路
１４      同期安定化検出回路
１７      垂直同期信号生成回路
１８      ORゲート
１９      セレクタ
２０      ノイズ検出回路
【図１】
2007165955.tif 000003
【図２】
2007165955.tif 000004
【図３】
2007165955.tif 000005
【図４】
2007165955.tif 000006
【図５】
2007165955.tif 000007
【図６】
2007165955.tif 000008
【図７】
2007165955.tif 000009
【図８】
2007165955.tif 000010
【図９】
2007165955.tif 000011
【図１０】
2007165955.tif 000012